(57)【要約】【課題】  ３群構成で比較的安価な、特にズーム高倍で球面収差及び色収差を良好に補正するズームレンズ及び該ズームレンズを備えた顕微鏡を提供する。【解決手段】  ズームレンズを物体側から順に、正の屈折力を有する第１レンズ群Ｇ１と、負の屈折力を有する第２レンズ群Ｇ２と、正の屈折力を有する第３レンズ群Ｇ３とで構成し、第１レンズ群Ｇ１が最も物体側に凹面を持ち、負の屈折力を持つレンズＬ１と、像側に凸面を持ち、正の屈折力を持つレンズＬ２を有し、ズーム低倍から高倍に変倍したときに、第２レンズ群Ｇ２が物体側から像側へ移動することを特徴とする。【選択図】  図１
2012103382.tif 000002
【特許請求の範囲】
【請求項１】
物体側から順に、正の屈折力を有する第１レンズ群と、負の屈折力を有する第２レンズ群と、正の屈折力を有する第３レンズ群とから構成され、
前記第1レンズ群は、物体側から物体側に凹面を持ち、負の屈折力を持つ第１のレンズと、像側に凸面を持ち、正の屈折力を持つ第２のレンズとを有し、
以下の条件式を満足することを特徴とするズームレンズ。
νd２−νd１＞３０   （１）
｜（ＰｇＦ２−ＰｇＦ１）／（νd２−νd１）｜＜０．００２       （２）
ここで、
νd１は前記第1のレンズのアッベ数、
νd２は前記第２のレンズのアッベ数、
ＰｇＦ１は前記第1のレンズの部分分散比、
ＰｇＦ２は前記第２のレンズの部分分散比を夫々示し、
前記部分分散比ＰｇＦは、
ＰｇＦ＝（ｎｇ−ｎＦ）／（ｎＦ−ｎＣ）
で定義し、ｎｇ、ｎＦ、ｎＣはｇ線、Ｆ線、Ｃ線の屈折率を夫々示す。
【請求項２】
さらに、以下の条件を満足することを特徴とする請求項１のズームレンズ。
２＜｜ｆＧ１／ｆＧ２｜＜３  （３）
ここで、
ｆＧ１は前記第１レンズ群の焦点距離、
ｆＧ２は前記第２レンズ群の焦点距離を夫々示す。
【請求項３】
さらに、以下の条件を満足することを特徴とする請求項１または２のズームレンズ。
ｆ１／ｆＧ１＞５     （４）
ここで、
ｆ１は前記第１のレンズと前記第２のレンズとの合成焦点距離を示す。
【請求項４】
前記第３レンズ群は、最も物体側に凸面を持つレンズと、
最も像側に凹面を持つメニスカスレンズまたは接合レンズと
を有することを特徴とする請求項１乃至３のズームレンズ。
【請求項５】
前記第２レンズ群が、変倍時に複数のズーム軌道を通ることを特徴とする、
請求項１乃至４のズームレンズ。
【請求項６】
前記第１レンズ群は、ズーム低倍からズーム高倍に変倍すると、像側から物体側へ移動することを特徴とする、
請求項５のズームレンズ。
【請求項７】
請求項１乃至６のズームレンズと、接眼レンズとを備えることを特徴とする顕微鏡。
【発明の詳細な説明】
【技術分野】
【０００１】
本発明はズームレンズ、特に顕微鏡に好適なズームレンズに関する。
【背景技術】
【０００２】
顕微鏡、特に内斜系実体顕微鏡に用いられるズームレンズとして、特公昭４８−３１２５９号、特許第３９３６６２５号に開示されたレンズなどが知られている。
【先行技術文献】
【特許文献】
【０００３】
【特許文献１】特公昭４８−３１２５９号
【特許文献２】特許第３９３６６２５号
【発明の概要】
【発明が解決しようとする課題】
【０００４】
前記先行技術のうち、特公昭４８−３１２５９号に記載されたズームレンズは、複雑な機構の４群構成で、コストが高くなるという欠点がある。また、特許第３９３６６２５号に記載されたズームレンズは、３群構成であるが、開口数の大きいズーム高倍で、球面収差及び軸上色収差が大きいという欠点がある。
【０００５】
本発明は上記問題を鑑みてなされたものであり、比較的安価で、ズーム高倍における球面収差及び色収差を良好に補正したズームレンズ及び該ズームレンズを備えた顕微鏡の提供を目的とする。
【課題を解決するための手段】
【０００６】
上記課題を解決するために、本発明のズームレンズは、物体側から順に、正の屈折力を有する第1レンズ群と、負の屈折力を有する第２レンズ群と、正の屈折力を有する第３レンズ群とから構成され、前記第１レンズ群は、物体側から物体側に凹面を持ち、負の屈折力を持つ第１のレンズと、像側に凸面を持ち、正の屈折力を持つ第２のレンズとを有し、以下の条件式を満足する。
νd２−νd１＞３０   （１）
｜（ＰｇＦ２−ＰｇＦ１）／（νd２−νd１）｜＜０．００２       （２）
ここで、νd１、νd２は夫々前記第１のレンズ及び前記第２のレンズのアッベ数、ＰｇＦ１、ＰｇＦ２は夫々前記第1のレンズ及び前記第２のレンズの部分分散比を示す。ただし、部分分散比PgFは、ｇ線、Ｆ線、Ｃ線の屈折率を夫々ｎｇ、ｎＦ、ｎＣとしたとき、
ＰｇＦ＝（ｎｇ−ｎＦ）／（ｎＦ−ｎＣ）
で表される。
【０００７】
また、さらに条件式（３）を満足することが望ましい。
２＜｜ｆＧ１／ｆＧ２｜＜３  （３）
ｆＧ１、ｆＧ２は夫々前記第１レンズ群及び前記第２レンズ群の焦点距離を示す。
【０００８】
また、さらに条件式（４）を満足することが望ましい。
ｆ１／ｆＧ１＞５     （４）
ｆ１は前記第１のレンズと前記第２のレンズとの合成焦点距離を示す。
【０００９】
また、さらに前記第３レンズ群が最も物体側に凸面を持つレンズと、最も像側に凹面を持つメニスカスレンズまたは接合レンズとを有していることが望ましい。
【００１０】
また、変倍時に前記第２レンズ群が複数のズーム軌道を通ることが望ましい。
【発明の効果】
【００１１】
本発明によれば、３群構成で比較的安価な、特にズーム高倍で球面収差及び色収差を良好に補正するズームレンズ及び該ズームレンズを備えた顕微鏡を実現し得る。
【図面の簡単な説明】
【００１２】
【図１】実施形態に係るズームレンズを備えた内斜系実体顕微鏡を示す図である。
【図２】実施例１に係るズームレンズの構成を示す図である。
【図３】実施例１に係るズームレンズの収差図を示す図である。
【図４】実施例２に係るズームレンズの構成を示す図である。
【図５】実施例２に係るズームレンズの収差図を示す図である。
【図６】実施例３に係るズームレンズの構成を示す図である。
【図７】実施例３に係るズームレンズの収差図を示す図である。
【図８】実施例４に係るズームレンズの構成を示す図である。
【図９】実施例４に係るズームレンズの収差図を示す図である。
【図１０】実施例５に係るズームレンズの構成を示す図である。
【図１１】実施例５に係るズームレンズの収差図を示す図である。
【発明を実施するための形態】
【００１３】
以下、図示する実施例に基づいて、本発明の実施形態を説明する。
【００１４】
図１は実施形態に係るズームレンズを備えた内斜系実体顕微鏡の例で、第１〜３レンズ群の配置を示した図である。物体面１から順に、第１レンズ群Ｇ１、第２レンズ群Ｇ２、第３レンズ群Ｇ３、接眼レンズ３を左右夫々の光学系に備えている。
【００１５】
第１レンズ群は、物体側から物体側に凹面を持ち、負の屈折力を持つ第１のレンズと、像側に凸面を持ち、正の屈折力を持つ第２のレンズとを有し、第１のレンズ及び第２のレンズのアッベ数をνd１及びνd２、部分分散比をＰｇＦ１及びＰｇＦ２と夫々示したとき、以下の条件式を満足する。
νd２−νd１＞３０   （１）
｜（ＰｇＦ２−ＰｇＦ１）／（νd２−νd１）｜＜０．００２       （２）
ここで、部分分散比PgFは、ｇ線、Ｆ線、Ｃ線の屈折率を夫々ｎｇ、ｎＦ、ｎＣとしたとき、ＰｇＦ＝（ｎｇ−ｎＦ）／（ｎＦ−ｎＣ）で表される。
【００１６】
実施形態にかかるズームレンズは、前記第１レンズ群が負の屈折力を持つ第１のレンズと正の屈折力を持つ第２のレンズとを有し、これらが条件式（１）及び条件式（２）を満たすことで、色収差を良好に補正することが可能である。また、物体側の第１面を凹面にすることで、球面収差を良好に補正することが可能である。特に、開口数が大きいズーム高倍時であっても球面収差を良好に補正する。
【００１７】
条件式（１）及び条件式（２）は、色収差を良好に補正するための条件である。特に、開口数が大きいズーム高倍では、軸上色収差を補正するために、前記第１レンズ群での色収差を十分小さく抑える必要がある。
【００１８】
条件式（１）において、前記第1のレンズ及び前記第２のレンズのアッベ数を規定することで、１次の色収差を良好に補正することができる。条件式（１）の範囲外では、ズーム高倍時に軸上色収差が大きくなる。条件式（２）において、前記第1のレンズ及び前記第２のレンズの部分分散比を規定することで、色収差の２次スペクトルを良好に補正することができる。前記第1のレンズ及び前記第２のレンズの部分分散比の差が小さい場合に、色収差を小さく抑えることができる。
【００１９】
実施形態に係るズームレンズは、条件式（１）及び（２）を、以下の範囲で満足していることが好ましい。
νd２−νd１＞３３   （１’）
｜（ＰｇＦ２−ＰｇＦ１）／νd２−νd１｜＜０．００１７  （２’）
また、さらに条件式（３）を満足することが望ましい。
２＜｜ｆＧ１／ｆＧ２｜＜３  （３）
ｆＧ１、ｆＧ２は夫々前記第１レンズ群及び前記第２レンズ群の焦点距離を示す。
【００２０】
条件式（３）において、前記第１レンズ群及び前記第２レンズ群の焦点距離の比を規定している。条件式（３）は、特にコマ収差、球面収差などの諸収差を良好に補正するための条件である。
【００２１】
条件式（３）が左辺を下回る場合、前記第１レンズ群で発生する諸収差が大きく、収差の補正が困難となる。この諸収差を補正するためには、レンズの枚数を増やすなどコスト高になる可能性がある。条件式（３）が右辺を上回る場合、前記第３レンズ群にかかる負荷が大きくなり、収差の補正が困難となる。
【００２２】
また、さらに条件式（４）を満足することが望ましい。
ｆ１／ｆＧ１＞５     （４）
ｆ１は前記第１のレンズと前記第２のレンズとの合成焦点距離を示す。
【００２３】
条件式（４）は、特に色収差、コマ収差、球面収差などの諸収差を良好に補正するための条件である。条件式（４）において、前記第１のレンズと前記第２のレンズとの合成焦点距離及び前記第１レンズ群の焦点距離の比を規定している。
【００２４】
条件式（４）の規定範囲外では、前記第１のレンズと前記第２のレンズとの合成焦点距離が前記第１レンズ群の焦点距離に対して短く、ズーム高倍での収差補正が困難となる。この収差を補正するために前記第２のレンズの像側面で曲率半径を小さくすると、球面収差が大きくなることが予想される。
【００２５】
本実施形態に係るズームレンズでは、条件式（４）を以下の範囲で満足していることが好ましい。
ｆ１／ｆＧ１＞７     （４’）
また、さらに前記第３レンズ群が最も物体側に凸面を持つレンズと、最も像側に凹面を持つメニスカスレンズまたは接合レンズとを有していることが望ましい。
【００２６】
この構成により、非点収差を良好に補正することができる。変倍時に、前記第３レンズ群を像面の位置が一定となるように位置変化させる機構としてもよいが、コストを考慮して位置変化させない機構としてもよい。
【００２７】
また、変倍時に前記第２レンズ群が複数のズーム軌道を通ることを特徴とする。
【００２８】
前記第１レンズ群の移動に対して、像面の位置を一定に保つための前記第２レンズ群のズーム軌道をズーム方程式から導出したとき、通常２種類の曲線軌道が得られる。ズーム中倍での前記第２レンズ群の位置を基準位置とすると、前記第２レンズ群はズーム低倍及び高倍で、一方の曲線軌道では基準位置よりも物体側に位置し、他方の曲線軌道では基準位置よりも像側に位置する。ズーム中倍のある倍率において、第１レンズ群の担う倍率及び第２レンズの担う倍率が同時に１倍となるように構成すると、この倍率において２種類の曲線軌道が接する。前記第２レンズ群のズーム軌道が複数の曲線軌道をその接点付近で乗り換えることで、前記第２レンズ群の移動量に対して効率的にズーム比を得る場合がある。
【００２９】
本発明の実施例では、ズーム低倍〜中倍時に一方の曲線軌道を通り、ズーム中倍〜高倍時に他方の曲線軌道を通る、ズーム低倍から高倍へ変倍すると前記第２レンズ群が物体側から像側へ移動する軌道が、前記第２レンズ群の移動量に対して効率的にズーム比を得ることができる。
【００３０】
また、ズーム低倍からズーム高倍に変倍すると、前記第１レンズ群が像側から物体側へ移動する。
（実施例1）
実施形態に係るズームレンズ及び該レンズを備えた顕微鏡の実施例１は、図２に示す機構で、以下のデータを有する。データの左端の数字は物体側から数えたレンズ面の番号、ｒはレンズ面の曲率半径、ｄはレンズ面の間隔、ｎｄ及びνｄはｄ線（λ＝５８７．５６ｎｍ）に対する屈折率とアッベ数を夫々示している。
なお、以下の全ての諸元値において掲載されている焦点距離、曲率半径ｒ、その他の長さの単位は一般に「ｍｍ」が使われる。しかし光学系は、比例拡大又は縮小しても同等の光学性能が得られるため、これに限られるものではない。また、単位は「ｍｍ」に限定されることなく他の適当な単位を用いることもできる。さらに、これらの記号は、以降の他の実施例においても同様とし説明を省略する。
【００３１】
r          d                nd          vd
物体面               d1            1.00000
1      -494.850      1.5           1.80384       33.89
2        52.879      3             1.51860       69.98
3       -71.394      0.2           1.00000
4        62.058      3             1.60311       60.65
5      -116.189      d2            1.00000
6      -100.000      2.5           1.80518       25.41
7      -14.540       1             1.74400       45.00
8      37.665        1.5           1.00000
9      -17.178       1.5           1.84042       43.35
10     -26.557       d3            1.00000
11     46.281        2.5           1.51860       69.98
12     -45.831       0.2           1.00000
13     17.201        1.5           1.80384       33.89
14     10.576        2.5           1.60311       60.65
15     17.952        172.881       1.00000
像面
倍率          0.7           1.5           5
焦点距離      98.969        114.246       40.714
ＮＡ          0.0204        0.0437        0.0665
d1            174.671       145.255       113.879
d2            14.206        49.682        99.003
d3            25.625        19.566        1.621
条件式 値
(1)    36.09
(2)    0.0016
(3)    2.60
(4)    44.1
視野数 22
実施例１のズームレンズは、物体側から順に、正の屈折力を有する第1レンズ群Ｇ１と、負の屈折力を有する第２レンズ群Ｇ２と、正の屈折力を有する第３レンズ群Ｇ３とから構成され、ズーム低倍、ズーム中倍、ズーム高倍のときの構成を、図２（ａ）~（ｃ）に夫々示す。
【００３２】
第１レンズ群Ｇ１は、物体側から順に、両凹負レンズＬ１と両凸正レンズＬ２との接合レンズと、両凸正レンズＬ３から構成される。最も物体側に両凹負レンズＬ１と両凸正レンズＬ２の接合レンズを備えているが、両凹負レンズＬ１と両凸正レンズＬ２とを接合せずに、その間に多少の間隔を空けて配置してもよい。
【００３３】
第２レンズ群は、物体側から順に、物体側に凹面を持つ正メニスカスレンズＬ４、両凹負レンズＬ５、物体側に凹面を持つ負メニスカスレンズＬ６から構成され、正メニスカスレンズＬ４及び両凹負レンズＬ５が合成された接合レンズを備えている。
【００３４】
第３レンズ群は物体側から順に、両凸正レンズＬ７、物体側に凸面を持つ負メニスカスレンズＬ８、物体側に凸面を持つ正メニスカスレンズＬ９から構成され、負メニスカスレンズＬ８及び正メニスカスレンズＬ９が合成された接合レンズを備えている。
【００３５】
第２レンズ群は、ズーム低倍からズーム高倍に変倍すると、ズーム軌道を乗り換えて物体側から像側へ移動する特徴がある。また、第１レンズ群は、ズーム低倍からズーム高倍に変倍すると、像側から物体側へ移動する。
【００３６】
図３（ａ）〜（ｃ）にｇ線（λ＝４３５．８４ｎｍ）、Ｆ線（λ＝４８６．１３ｎｍ）、ｄ線（λ＝５８７．５６ｎｍ）、Ｃ線（λ＝６５６．２７ｎｍ）での収差図を示す。図３（ａ）〜（ｃ）はズーム低倍、ズーム中倍、ズーム高倍に夫々対応している。図３（a）〜（ｃ）の夫々に、左図の実線は各波長における球面収差を、点線はｄ線における正弦条件を示す。また、右図は非点収差を示す図であり、実線と点線はサジタル面とメリジオナル面を夫々示す。
【００３７】
各ズーム倍率でＦ線、ｄ線、Ｃ線の球面収差及び軸上色収差が焦点深度内に補正されている。また、各ズーム倍率でｄ線、Ｃ線の非点収差も焦点深度内に補正されている。特に、ズーム高倍で、各収差が良好に補正されている。
（実施例２）
実施例２は以下のデータを有する。
【００３８】
r         d               nd            vd
物体面               d1            1.00000
1      -733.363      1.5           1.74950       35.19
2      51.242        3             1.51860       69.98
3      -71.029       0.2           1.00000
4      59.143        2.5           1.51860       69.98
5      -122.675      d2            1.00000
6      -47.018       1             1.71700       48.04
7      14.855        2.5           1.84666       23.82
8      35.296        1.5           1.00000
9      -37.290       1.5           1.80411       46.55
10     -58.138       d3            1.00000
11     49.397        4             1.51860       69.98
12     -16.369       1.5           1.74950       35.19
13     -31.104       0.2           1.00000
14     11.664        2.5           1.58913       61.09
15     10.501        200.228       1.00000
像面
倍率          0.7           1.5           4.7
焦点距離      100.375       120.978       49.980
ＮＡ          0.0204        0.0428        0.0699
d1            187.958       153.938       121.511
d2            5.722         45.892        94.526
d3            25.352        19.202        2.996
条件式 値
(1)    34.79
(2)    0.0015
(3)    2.58
(4)    8.04
視野数 22
実施例２のズームレンズは、物体側から順に、正の屈折力を有する第１レンズ群Ｇ１と、負の屈折力を有する第２レンズ群Ｇ２と、正の屈折力を有する第３レンズ群Ｇ３とから構成され、ズーム低倍、ズーム中倍、ズーム高倍のときの構成を、図４（ａ）~（ｃ）に夫々示す。
【００３９】
第１レンズ群Ｇ１は、物体側から順に、両凹負レンズＬ１と両凸正レンズＬ２との接合レンズと、両凸正レンズＬ３から構成される。最も物体側に両凹負レンズＬ１と両凸正レンズＬ２の接合レンズを備えているが、両凹負レンズＬ１と両凸正レンズＬ２とを接合せずに、その間に多少の間隔を空けて配置してもよい。
【００４０】
第２レンズ群は、物体側から順に、両凹負レンズＬ４、物体側に凸面を持つ正メニスカスレンズＬ５、物体側に凹面を持つ負メニスカスレンズＬ６から構成され、両凹負レンズＬ４及び正メニスカスレンズＬ５が合成された接合レンズを備えている。
【００４１】
第３レンズ群は物体側から順に、両凸正レンズＬ７、物体側に凹面を持つ負メニスカスレンズＬ８、物体側に凸面を持つ負メニスカスレンズＬ９から構成され、両凸正レンズＬ７及び負メニスカスレンズＬ８が合成された接合レンズを備えている。
【００４２】
第２レンズ群は、ズーム低倍からズーム高倍に変倍すると、ズーム軌道を乗り換えて物体側から像側へ移動し、第１レンズ群は像側から物体側へ移動する特徴がある。
【００４３】
また、図５（ａ）〜（ｃ）にｇ線、Ｆ線、ｄ線、Ｃ線での収差図をズーム低倍、ズーム中倍、ズーム高倍について夫々示す。特にズーム高倍で、球面収差、軸上色収差、非点収差が良好に補正されている。
（実施例３）
実施例３は以下のデータを有する。
【００４４】
r         d               nd            vd
物体面               d1            1.00000
1      -599.431      1.5           1.74950       35.27
2      52.583        3             1.51860       69.89
3      -68.568       0.2           1.00000
4      60.997        3             1.51860       69.89
5      -119.138      d2            1.00000
6      -31.385       2.5           1.84666       23.78
7      -13.796       1             1.71700       47.93
8      66.187        1.5           1.00000
9      -78.126       1.5           1.80400       46.58
10     -682.824      d3            1.00000
11     38.641        4.5           1.51860       69.89
12     -16.983       1.5           1.74950       35.27
13     -36.921       0.2           1.00000
14     11.980        4             1.62041       60.29
15     10.061        196.543       1.00000
像面
倍率          0.7           1.5           4.7 
焦点距離      100.375       120.978       49.980
ＮＡ          0.0202        0.0449        0.0702
d1            187.825       153.806       121.378
d2            5.964         46.135        94.768
d3            28.618        22.467        6.261
条件式 値
(1)    34.62
(2)    0.0016
(3)    2.58
(4)    7.43
視野数 22
実施例３のズームレンズは、物体側から順に、正の屈折力を有する第１レンズ群Ｇ１と、負の屈折力を有する第２レンズ群Ｇ２と、正の屈折力を有する第３レンズ群Ｇ３とから構成され、ズーム低倍、ズーム中倍、ズーム高倍のときの構成を、図６（ａ）~（ｃ）に夫々示す。
【００４５】
第１レンズ群Ｇ１は、物体側から順に、両凹負レンズＬ１と両凸正レンズＬ２との接合レンズと、両凸正レンズＬ３から構成される。最も物体側に両凹負レンズＬ１と両凸正レンズＬ２の接合レンズを備えているが、両凹負レンズＬ１と両凸正レンズＬ２とを接合せずに、その間に多少の間隔を空けて配置してもよい。
【００４６】
第２レンズ群は、物体側から順に、物体側に凹面を持つ正メニスカスレンズＬ４、両凹負レンズＬ５、物体側に凹面を持つ負メニスカスレンズＬ６から構成され、正メニスカスレンズＬ４及び両凹負レンズＬ５が合成された接合レンズを備えている。
【００４７】
第３レンズ群は物体側から順に、両凸正レンズＬ７、物体側に凹面を持つ負メニスカスレンズＬ８、物体側に凸面を持つ負メニスカスレンズＬ９から構成され、両凸正レンズＬ７及び負メニスカスレンズＬ８が合成された接合レンズを備えている。
【００４８】
第２レンズ群は、ズーム低倍からズーム高倍に変倍すると、ズーム軌道を乗り換えて物体側から像側へ移動し、第１レンズ群は像側から物体側へ移動する特徴がある。
【００４９】
また、図７（ａ）〜（ｃ）にｇ線、Ｆ線、ｄ線、Ｃ線での収差図をズーム低倍、ズーム中倍、ズーム高倍について夫々示す。特にズーム高倍で、球面収差、軸上色収差、非点収差が良好に補正されている。
（実施例４）
実施例４は以下のデータを有する。
【００５０】
r         d               nd            vd
物体面               d1            1.00000
1      -484.672      1.5           1.74950       35.27
2      53.298        3             1.51860       69.89
3      -66.208       0.2           1.00000
4      60.728        2.7           1.51860       69.89
5      -121.847      d2            1.00000
6      -34.087       2             1.84666       23.78
7      -14.523       1             1.71700       47.93
8      188.128       1.5           1.00000
9      -81.091       1.5           1.80400       46.58
10     105.904       d3            1.00000
11     40.313        4.2           1.51860       69.89
12     -17.377       1.5           1.74950       35.27
13     -36.594       3.5           1.00000
14     12.321        4             1.62041       60.29
15     10.384        194.167       1.00000
像面
倍率          0.67          1.5           5 
焦点距離      100.375       120.978       46.639
ＮＡ          0.0201        0.0451        0.0707
d1            187.850       153.830       120.021
d2            5.626         45.797        97.058
d3            29.496        23.345        5.893
条件式 値
(1)    34.62
(2)    0.0016
(3)    2.58
(4)    7.28
視野数 22
実施例４のズームレンズは、物体側から順に、正の屈折力を有する第１レンズ群Ｇ１と、負の屈折力を有する第２レンズ群Ｇ２と、正の屈折力を有する第３レンズ群Ｇ３とから構成され、ズーム低倍、ズーム中倍、ズーム高倍のときの構成を、図８（ａ）~（ｃ）に夫々示す。
【００５１】
第１レンズ群Ｇ１は、物体側から順に、両凹負レンズＬ１と両凸正レンズＬ２との接合レンズと、両凸正レンズＬ３から構成される。最も物体側に両凹負レンズＬ１と両凸正レンズＬ２の接合レンズを備えているが、両凹負レンズＬ１と両凸正レンズＬ２とを接合せずに、その間に多少の間隔を空けて配置してもよい。
【００５２】
第２レンズ群は、物体側から順に、物体側に凹面を持つ正メニスカスレンズＬ４、両凹負レンズＬ５、両凹負レンズＬ６から構成され、正メニスカスレンズＬ４及び両凹負レンズＬ５が合成された接合レンズを備えている。
【００５３】
第３レンズ群は物体側から順に、両凸正レンズＬ７、物体側に凹面を持つ負メニスカスレンズＬ８、物体側に凸面を持つ負メニスカスレンズＬ９から構成され、両凸正レンズＬ７及び負メニスカスレンズＬ８が合成された接合レンズを備えている。
【００５４】
第２レンズ群は、ズーム低倍からズーム高倍に変倍すると、ズーム軌道を乗り換えて物体側から像側へ移動し、第１レンズ群は像側から物体側へ移動する特徴がある。
【００５５】
また、図９（ａ）〜（ｃ）にｇ線、Ｆ線、ｄ線、Ｃ線での収差図をズーム低倍、ズーム中倍、ズーム高倍について夫々示す。特にズーム高倍で、球面収差、軸上色収差、非点収差が良好に補正されている。
（実施例５）
実施例５は以下のデータを有する。
【００５６】
r         d               nd            vd
物体面               d1            1.00000
1      -1730.999     1.5           1.74951       35.33
2      48.990        3             1.51860       69.89
3      -77.266       0.2           1.00000
4      60.997        2.7           1.51860       69.89
5      -109.416      d2            1.00000
6      -50.940       2             1.84666       23.78
7      -15.888       1             1.77250       49.62
8      200.340       1.5           1.00000
9      -54.875       1.5           1.83481       42.72
10     134.040       d3            1.00000
11     39.497        4.2           1.51860       69.89
12     -17.149       1.5           1.74950       35.27
13     -36.461       0.2           1.00000
14     12.031        4             1.51680       64.10
15     10.257        197.186       1.00000
像面
倍率          0.67          1.5           5
焦点距離      100.375       120.978       46.639
ＮＡ          0.0204        0.0457        0.0710
d1            187.936       153.916       120.107
d2            5.118         45.289        96.550
d3            28.914        22.764        5.312
条件式 値
(1)    34.56
(2)    0.0015
(3)    2.58
(4)    9.13
視野数 22
実施例５のズームレンズは、物体側から順に、正の屈折力を有する第１レンズ群Ｇ１と、負の屈折力を有する第２レンズ群Ｇ２と、正の屈折力を有する第３レンズ群Ｇ３とから構成され、ズーム低倍、ズーム中倍、ズーム高倍のときの構成を、図１０（ａ）~（ｃ）に夫々示す。
【００５７】
第１レンズ群Ｇ１は、物体側から順に、両凹負レンズＬ１と両凸正レンズＬ２との接合レンズと、両凸正レンズＬ３から構成される。最も物体側に両凹負レンズＬ１と両凸正レンズＬ２の接合レンズを備えているが、両凹負レンズＬ１と両凸正レンズＬ２とを接合せずに、その間に多少の間隔を空けて配置してもよい。
【００５８】
第２レンズ群は、物体側から順に、物体側に凹面を持つ正メニスカスレンズＬ４、両凹負レンズＬ５、両凹負レンズＬ６から構成され、正メニスカスレンズＬ４及び両凹負レンズＬ５が合成された接合レンズを備えている。
【００５９】
第３レンズ群は物体側から順に、両凸正レンズＬ７、物体側に凹面を持つ負メニスカスレンズＬ８、物体側に凸面を持つ負メニスカスレンズＬ９から構成され、両凸正レンズＬ７及び負メニスカスレンズＬ８が合成された接合レンズを備えている。
【００６０】
第２レンズ群は、ズーム低倍からズーム高倍に変倍すると、ズーム軌道を乗り換えて物体側から像側へ移動し、第1レンズ群は像側から物体側へ移動する特徴がある。
【００６１】
また、図１１（ａ）〜（ｃ）にｇ線、Ｆ線、ｄ線、Ｃ線での収差図をズーム低倍、ズーム中倍、ズーム高倍について夫々示す。特にズーム高倍で、球面収差、軸上色収差、非点収差が良好に補正されている。
【符号の説明】
【００６２】
Ｇ１   第１レンズ群
Ｇ２   第２レンズ群
Ｇ３   第３レンズ群
Ｌ１〜９  レンズ
１     物体
２     中間像
３     接眼レンズ
４     眼
【図１】
2012103382.tif 000003
【図２】
2012103382.tif 000004
【図３】
2012103382.tif 000005
【図４】
2012103382.tif 000006
【図５】
2012103382.tif 000007
【図６】
2012103382.tif 000008
【図７】
2012103382.tif 000009
【図８】
2012103382.tif 000010
【図９】
2012103382.tif 000011
【図１０】
2012103382.tif 000012
【図１１】
2012103382.tif 000013